(57)【要約】【課題】映像分配器を用いることなく、複数の映像ソース出力機器の各々から映像を取り込み、取り込んだ複数の映像を表示する。【解決手段】プロジェクター２００Ａ〜プロジェクター２００Ｄを備えた表示システム１であって、プロジェクター２００Ｄは、第４入力画像ＰＤｎが入力される第１入力部と、プロジェクター２００Ｃから第３合成画像ＳＰ３ｎが入力される第２入力部と、第４入力画像ＰＤｎと第３合成画像ＳＰ３ｎとに基づき、第４合成画像ＳＰ４ｎを生成する画像処理部と、第４合成画像ＳＰ４ｎをプロジェクター２００Ａが備える第２入力部に対して出力する出力部２８４Ｄと、第４合成画像ＳＰ４ｎのうち、第４投射画像ＰＪ４ｎを投射部２１０Ｄにより表示させる表示制御部と、を備える。【選択図】図５
2020101655.tif 000002
【特許請求の範囲】
【請求項１】
複数の表示装置を備えた表示システムであって、
前記複数の表示装置のうちのいずれかの前記表示装置は、
第１画像が入力される第１入力部と、
他の前記表示装置から第２画像が入力される第２入力部と、
前記第１画像と前記第２画像とに基づき出力画像を生成する画像処理部と、
前記出力画像を他の前記表示装置が備える前記第２入力部に対して出力する出力部と、
前記第２画像のうち、設定された条件を満たす画像を表示部により表示させる表示制御部と、
を備える、表示システム。
【請求項２】
複数の前記表示装置は、デイジーチェーン接続され、
複数の前記表示装置は、第１表示装置と、前記第１表示装置の前記第２入力部に前記出力画像を出力する第２表示装置とを含み、
前記第２表示装置から前記第１表示装置に入力される前記出力画像には識別情報が付与され、
複数の前記表示装置の各々は、前記表示制御部により、前記識別情報が付与された前記出力画像を前記表示部により表示させる、請求項１に記載の表示システム。
【請求項３】
前記表示装置は、前記第２入力部に入力された前記出力画像に前記識別情報が付与されている場合、前記識別情報が付与された状態で前記出力部から前記出力画像を出力する、請求項２記載の表示システム。
【請求項４】
前記第１表示装置の前記画像処理部は、前記第１画像を含み前記第２画像を含まない前記出力画像を生成する、請求項２または３に記載の表示システム。
【請求項５】
前記第１表示装置の前記画像処理部は、前記第１画像を、予め設定された背景画像に重畳して前記出力画像を生成する、請求項４に記載の表示システム。
【請求項６】
複数の前記表示装置の各々は、前記表示制御部により、前記識別情報が付与された前記出力画像の一部を抽出して前記表示部に表示させる、請求項２から５のいずれか１項に記載の表示システム。
【請求項７】
前記第１表示装置から第ｋ表示装置（ｋは、２以上の自然数）までのｋ個の前記表示装置が順に、前記第２入力部及び前記出力部を介して、デイジーチェーン接続され、
前記第１表示装置の前記第２入力部に前記第ｋ表示装置の前記出力部が接続される、
請求項２から６のいずれか１項に記載の表示システム。
【請求項８】
複数の前記表示装置の各々に画像を供給する複数の画像供給装置を備え、
複数の前記画像供給装置の各々は、複数の前記表示装置の各々の前記第１入力部に接続される、
請求項１から７のいずれか１項に記載の表示システム。
【請求項９】
前記表示装置の各々は、投射画像を投射するプロジェクターである、請求項１から８のいずれか１項に記載の表示システム。
【請求項１０】
複数の前記表示装置が表示する複数の前記投射画像によって１の画像を形成するマルチ投射システムである、請求項９記載の表示システム。
【請求項１１】
複数の表示装置を備えた表示システムの表示方法であって、
前記複数の表示装置のうちのいずれかの前記表示装置により、第１入力部に入力された第１画像と、第２入力部に他の前記表示装置から入力された第２画像とに基づき出力画像を生成する画像処理ステップと、
前記複数の表示装置のうちのいずれかの前記表示装置により、前記出力画像を他の前記表示装置の前記第２入力部に対して出力する出力ステップと、
前記複数の表示装置のうちのいずれかの前記表示装置により、前記第２画像のうち、設定された条件を満たす画像を表示する表示ステップと、
を含む、表示システムの表示方法。
【請求項１２】
前記表示装置は、識別情報が付与された前記出力画像を表示する、請求項１１に記載の表示システムの表示方法。
【請求項１３】
前記表示装置は、前記第２入力部に入力された前記出力画像に前記識別情報が付与されている場合、前記識別情報が付与された状態で前記出力画像を出力する、請求項１２記載の表示システムの表示方法。
【請求項１４】
前記表示装置は、前記第１画像を含み前記第２画像を含まない前記出力画像を生成する、請求項１２または１３に記載の表示システムの表示方法。
【請求項１５】
前記表示装置は、前記第１画像を、予め設定された背景画像に重畳して前記出力画像を生成する、請求項１４に記載の表示システムの表示方法。
【請求項１６】
前記表示装置は、前記識別情報が付与された前記出力画像の一部を抽出して表示する、請求項１２から１５のいずれか１項に記載の表示システムの表示方法。
【請求項１７】
複数の前記表示装置が表示する複数の画像によって１の画像を形成する、請求項１１から１６のいずれか１項に記載の表示システムの表示方法。
【請求項１８】
接続された複数の表示装置に含まれる表示装置であって、
第１画像が入力される第１入力部と、
前記複数の表示装置のうちの他の前記表示装置から第２画像が入力される第２入力部と、
前記第１入力部に入力された第１画像と前記第２入力部に入力された第２画像とに基づき出力画像を生成する画像処理部と、
前記出力画像を前記複数の表示装置のうちの他の前記表示装置に出力する出力部と、
前記第２入力部に入力された第２画像のうち、設定された条件を満たす画像を表示部により表示させる表示制御部と、
を備える、表示装置。
【発明の詳細な説明】
【技術分野】
【０００１】
本発明は、表示システム、表示システムの制御方法及び表示装置に関する。
【背景技術】
【０００２】
従来、複数の表示装置をケーブルで接続し、接続された複数の表示装置により画像を表示する表示システムが知られている（例えば、特許文献１参照）。
特許文献１に記載の表示システムは、映像ソース出力機器から複数の映像表示制御機器にカスケード接続することで映像伝送し、映像表示を行う。複数の映像表示制御機器のうち、上流の映像表示制御機器は、下流の映像表示制御機器が使用しない上流の映像表示制御機器で使用する映像領域に生成した制御情報やグラフィックスデータを入れ替えて伝送する。複数の映像表示制御機器のうち、下流の映像表示制御機器は、上流の映像表示制御機器で使用する映像領域に埋め込まれてくる制御情報やグラフィックスデータを取り込むとともに、自身の映像表示領域を取り込む。そして、下流の映像表示制御機器は、上流の映像表示制御機器から伝送されてくる制御情報やグラフィックスデータに基づいて自身の映像表示領域の映像表示を行う。
【先行技術文献】
【特許文献】
【０００３】
【特許文献１】特開２０１７−１４２３３９号公報
【発明の概要】
【発明が解決しようとする課題】
【０００４】
特許文献１に記載の表示システムは、複数の映像ソース出力機器の各々から映像を取り込み、取り込んだ複数の映像を表示するための構成を備えていない。
一般的に、複数の映像ソース出力機器の各々から映像を取り込み、取り込んだ複数の映像を表示するためには、複数の映像ソース出力機器と複数の映像表示制御機器との間に、高価で複雑な装置である映像分配器を配置する必要があった。
【課題を解決するための手段】
【０００５】
上記課題を解決する一態様は、複数の表示装置を備えた表示システムであって、前記複数の表示装置のうちのいずれかの前記表示装置は、第１画像が入力される第１入力部と、他の前記表示装置から第２画像が入力される第２入力部と、前記第１画像と前記第２画像とに基づき出力画像を生成する画像処理部と、前記出力画像を他の前記表示装置が備える前記第２入力部に対して出力する出力部と、前記第２画像のうち、設定された条件を満たす画像を表示部により表示させる表示制御部と、を備える表示システムである。
【０００６】
上記表示システムにおいて、複数の前記表示装置は、デイジーチェーン接続され、複数の前記表示装置は、第１表示装置と、前記第１表示装置の前記第２入力部に前記出力画像を出力する第２表示装置とを含み、前記第２表示装置から前記第１表示装置に入力される前記出力画像には識別情報が付与され、複数の前記表示装置の各々は、前記表示制御部により、前記識別情報が付与された前記出力画像を前記表示部により表示させる構成であってもよい。
【０００７】
上記表示システムにおいて、前記表示装置は、前記第２入力部に入力された前記出力画像に前記識別情報が付与されている場合、前記識別情報が付与された状態で前記出力部から前記出力画像を出力する構成であってもよい。
【０００８】
上記表示システムにおいて、前記第１表示装置の前記画像処理部は、前記第１画像を含み前記第２画像を含まない前記出力画像を生成する構成であってもよい。
【０００９】
上記表示システムにおいて、前記第１表示装置の前記画像処理部は、前記第１画像を、予め設定された背景画像に重畳して前記出力画像を生成する構成であってもよい。
【００１０】
上記表示システムにおいて、複数の前記表示装置の各々は、前記表示制御部により、前記識別情報が付与された前記出力画像の一部を抽出して前記表示部に表示させる構成であってもよい。
【００１１】
上記表示システムにおいて、前記第１表示装置から第ｋ表示装置（ｋは、２以上の自然数）までのｋ個の前記表示装置が順に、前記第２入力部及び前記出力部を介して、デイジーチェーン接続され、前記第１表示装置の前記第２入力部に前記第ｋ表示装置の前記出力部が接続される構成であってもよい。
【００１２】
上記表示システムにおいて、複数の前記表示装置の各々に画像を供給する複数の画像供給装置を備え、複数の前記画像供給装置の各々は、複数の前記表示装置の各々の前記第１入力部に接続される構成であってもよい。
【００１３】
上記表示システムにおいて、前記表示装置の各々は、投射画像を投射するプロジェクターである構成であってもよい。
【００１４】
上記表示システムにおいて、複数の前記表示装置が表示する複数の前記投射画像によって１の画像を形成するマルチ投射システムである構成であってもよい。
【００１５】
上記課題を解決する別の一態様は、複数の表示装置を備えた表示システムの表示方法であって、前記複数の表示装置のうちのいずれかの前記表示装置により、第１入力部に入力された第１画像と、第２入力部に他の前記表示装置から入力された第２画像とに基づき出力画像を生成する画像処理ステップと、前記複数の表示装置のうちのいずれかの前記表示装置により、前記出力画像を他の前記表示装置の前記第２入力部に対して出力する出力ステップと、前記複数の表示装置のうちのいずれかの前記表示装置により、前記第２画像のうち、設定された条件を満たす画像を表示する表示ステップと、を含む、表示システムの表示方法である。
【００１６】
上記表示システムの表示方法において、前記表示装置は、識別情報が付与された前記出力画像を表示してもよい。
【００１７】
上記表示システムの表示方法において、前記表示装置は、前記第２入力部に入力された前記出力画像に前記識別情報が付与されている場合、前記識別情報が付与された状態で前記出力画像を出力してもよい。
【００１８】
上記表示システムの表示方法において、前記表示装置は、前記第１画像を含み前記第２画像を含まない前記出力画像を生成してもよい。
【００１９】
上記表示システムの表示方法において、前記表示装置は、前記第１画像を、予め設定された背景画像に重畳して前記出力画像を生成してもよい。
【００２０】
上記表示システムにおける表示方法において、前記表示装置は、前記識別情報が付与された前記出力画像の一部を抽出して前記表示部に表示させてもよい。
【００２１】
上記表示システムの表示方法において、複数の前記表示装置が表示する複数の画像によって１の画像を形成してもよい。
【００２２】
上記課題を解決する更に別の一態様は、接続された複数の表示装置に含まれる表示装置であって、第１画像が入力される第１入力部と、前記複数の表示装置のうちの他の前記表示装置から第２画像が入力される第２入力部と、前記第１入力部に入力された第１画像と前記第２入力部に入力された第２画像とに基づき出力画像を生成する画像処理部と、前記出力画像を前記複数の表示装置のうちの他の前記表示装置に出力する出力部と、前記第２入力部に入力された第２画像のうち、設定された条件を満たす画像を表示部により表示させる表示制御部と、を備える、表示装置である。
【図面の簡単な説明】
【００２３】
【図１】表示システムの構成を示す構成図。
【図２】画像出力装置の構成を示す構成図。
【図３】プロジェクターの構成を示す構成図。
【図４】プロジェクターの制御部の構成を示す構成図。
【図５】プロジェクターの入力情報及び出力情報を示す図。
【図６】表示システムの合成画像生成処理を示すシーケンス図。
【図７】表示システムの投射処理を示すシーケンス図。
【図８】表示システムのタイミングチャート。
【発明を実施するための形態】
【００２４】
以下、図面を参照して本実施形態について説明する。
【００２５】
［１．表示システムの構成］
図１は、表示システム１の構成を示す構成図である。
本実施形態の表示システム１は、複数の画像供給装置１００と、複数のプロジェクター２００とを備える。図１には、複数のプロジェクター２００として、プロジェクター２００Ａ、プロジェクター２００Ｂ、プロジェクター２００Ｃ及びプロジェクター２００Ｄの４台を示す。表示システム１を構成するプロジェクター２００の台数は４台に限定されるものではない。プロジェクター２００の台数は２台以上であればよい。表示システム１はｋ台（ｋは、２以上の自然数）のプロジェクター２００で構成される。
プロジェクター２００Ａ〜プロジェクター２００Ｄの各々は、互いに同一の構成を有する。
プロジェクター２００Ａ〜プロジェクター２００Ｄは、「複数の表示装置」の一例に対応する。プロジェクター２００Ａ〜プロジェクター２００Ｄの各々は、「表示装置」の一例に対応する。
以下の説明において、プロジェクター２００Ａ〜プロジェクター２００Ｄを特に区別する必要がない場合は、プロジェクター２００と記載する場合がある。
【００２６】
図１には、複数の画像供給装置１００として、画像供給装置１００Ａ、画像供給装置１００Ｂ、画像供給装置１００Ｃ及び画像供給装置１００Ｄの４台を示す。表示システム１を構成する画像供給装置１００の台数は４台に限定されるものではない。画像供給装置１００の台数は、プロジェクター２００の台数と一致すればよい。
画像供給装置１００Ａは、プロジェクター２００Ａに接続される。画像供給装置１００Ｂは、プロジェクター２００Ｂに接続される。画像供給装置１００Ｃは、プロジェクター２００Ｃに接続される。画像供給装置１００Ｄは、プロジェクター２００Ｄに接続される。
画像供給装置１００Ａ〜画像供給装置１００Ｄは、「複数の画像供給装置」の一例に対応する。
以下の説明において、画像供給装置１００Ａ〜画像供給装置１００Ｄを特に区別する必要がない場合は、画像供給装置１００と記載する場合がある。
【００２７】
画像供給装置１００は、プロジェクター２００にＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）信号を供給する。ＨＤＭＩ信号には、画像データや音声データが含まれる。画像データは、動画像の画像データであってもよいし、静止画像の画像データであってもよい。また、音声データは、モノラルの音声データであってもよいし、ステレオの音声データであってもよい。また、ステレオよりも多くの音声チャネルを用いるサラウンド方式の音声データであってもよい。
【００２８】
画像供給装置１００には、例えばノート型ＰＣ（Ｐｅｒｓｏｎａｌ  Ｃｏｍｐｕｔｅｒ)、デスクトップ型ＰＣやタブレット端末、スマートフォン、ＰＤＡ（Ｐｅｒｓｏｎａｌ  Ｄｉｇｉｔａｌ  Ａｓｓｉｓｔａｎｔ）等を用いることができる。また、画像供給装置１００として、ビデオ再生装置、ＤＶＤ（Ｄｉｇｉｔａｌ  Ｖｅｒｓａｔｉｌｅ  Ｄｉｓｋ）プレーヤー、ブルーレイディスクプレーヤー、ハードディスクレコーダー、テレビチューナー装置、ＣＡＴＶ（Ｃａｂｌｅ  ｔｅｌｅｖｉｓｉｏｎ）のセットトップボックス、ビデオゲーム機等を用いてもよい。
【００２９】
プロジェクター２００Ａは、ＨＤＭＩ通信部２５０Ａを備える。ＨＤＭＩ通信部２５０Ａは、第１受信部２５４Ａ、第２受信部２５２Ａ及び送信部２５６Ａを備える。図１では、受信部を「Ｒｘ」と記載し、送信部を「Ｔｘ」と記載する。
第１受信部２５４Ａは、ＨＤＭＩケーブル２１Ａにより画像供給装置１００Ａに接続される。第２受信部２５２Ａは、ＨＤＭＩケーブル２５によりプロジェクター２００Ｄに接続される。送信部２５６Ａは、ＨＤＭＩケーブル２２によりプロジェクター２００Ｂに接続される。
【００３０】
プロジェクター２００Ａの第１受信部２５４Ａは、画像供給装置１００Ａから送信されるＨＤＭＩ信号を受信する。プロジェクター２００Ａの第２受信部２５２Ａは、プロジェクター２００Ｄから送信されるＨＤＭＩ信号を受信する。
プロジェクター２００Ａは、受信したＨＤＭＩ信号を取り込んで種々の処理を実行する。プロジェクター２００Ａが実行する処理については、後述にて図３〜図８を用いて詳細に説明する。また、プロジェクター２００Ａの送信部２５６Ａは、ＨＤＭＩ信号をプロジェクター２００Ｂに送信する。
【００３１】
プロジェクター２００Ｂは、ＨＤＭＩ通信部２５０Ｂを備える。ＨＤＭＩ通信部２５０Ｂは、第１受信部２５４Ｂ、第２受信部２５２Ｂ及び送信部２５６Ｂを備える。
第１受信部２５４Ｂは、ＨＤＭＩケーブル２１Ｂにより画像供給装置１００Ｂに接続される。第２受信部２５２Ｂは、ＨＤＭＩケーブル２２によりプロジェクター２００Ａに接続される。送信部２５６Ｂは、ＨＤＭＩケーブル２３によりプロジェクター２００Ｃに接続される。
【００３２】
プロジェクター２００Ｂの第１受信部２５４Ｂは、画像供給装置１００Ｂから送信されるＨＤＭＩ信号を受信する。プロジェクター２００Ｂの第２受信部２５２Ｂは、プロジェクター２００Ａから送信されるＨＤＭＩ信号を受信する。
プロジェクター２００Ｂは、受信したＨＤＭＩ信号を取り込んで種々の処理を実行する。プロジェクター２００Ｂが実行する処理については、後述にて図３〜図８を用いて詳細に説明する。また、プロジェクター２００Ｂの送信部２５６Ｂは、ＨＤＭＩ信号をプロジェクター２００Ｃに送信する。
【００３３】
プロジェクター２００Ｃは、ＨＤＭＩ通信部２５０Ｃを備える。ＨＤＭＩ通信部２５０Ｃは、第１受信部２５４Ｃ、第２受信部２５２Ｃ及び送信部２５６Ｃを備える。
第１受信部２５４Ｃは、ＨＤＭＩケーブル２１Ｃにより画像供給装置１００Ｃに接続される。第２受信部２５２Ｃは、ＨＤＭＩケーブル２３によりプロジェクター２００Ｂに接続される。送信部２５６Ｃは、ＨＤＭＩケーブル２４によりプロジェクター２００Ｄに接続される。
【００３４】
プロジェクター２００Ｃの第１受信部２５４Ｃは、画像供給装置１００Ｃから送信されるＨＤＭＩ信号を受信する。プロジェクター２００Ｃの第２受信部２５２Ｃは、プロジェクター２００Ｂから送信されるＨＤＭＩ信号を受信する。
プロジェクター２００Ｃは、受信したＨＤＭＩ信号を取り込んで種々の処理を実行する。プロジェクター２００Ｃが実行する処理については、後述にて図３〜図８を用いて詳細に説明する。また、プロジェクター２００Ｃの送信部２５６Ｃは、ＨＤＭＩ信号をプロジェクター２００Ｄに送信する。
【００３５】
プロジェクター２００Ｄは、ＨＤＭＩ通信部２５０Ｄを備える。ＨＤＭＩ通信部２５０Ｄは、第１受信部２５４Ｄ、第２受信部２５２Ｄ及び送信部２５６Ｄを備える。
第１受信部２５４Ｄは、ＨＤＭＩケーブル２１Ｄにより画像供給装置１００Ｄに接続される。第２受信部２５２Ｄは、ＨＤＭＩケーブル２４によりプロジェクター２００Ｃに接続される。送信部２５６Ｄは、ＨＤＭＩケーブル２５によりプロジェクター２００Ａに接続される。
【００３６】
プロジェクター２００Ｄの第１受信部２５４Ｄは、画像供給装置１００Ｄから送信されるＨＤＭＩ信号を受信する。プロジェクター２００Ｄの第２受信部２５２Ｄは、プロジェクター２００Ｃから送信されるＨＤＭＩ信号を受信する。
プロジェクター２００Ｄは、受信したＨＤＭＩ信号を取り込んで種々の処理を実行する。プロジェクター２００Ｄが実行する処理については、後述にて図３〜図８を用いて詳細に説明する。また、プロジェクター２００Ｄの送信部２５６Ｄは、ＨＤＭＩ信号をプロジェクター２００Ａに送信する。
【００３７】
プロジェクター２００Ａ〜プロジェクター２００Ｄは、ＨＤＭＩケーブル２２、ＨＤＭＩケーブル２３、ＨＤＭＩケーブル２４及びＨＤＭＩケーブル２５によりデイジーチェーン接続される。換言すれば、プロジェクター２００Ａ〜プロジェクター２００Ｄは、ＨＤＭＩケーブル２２〜ＨＤＭＩケーブル２５により１つの輪になるように接続される。
具体的には、プロジェクター２００Ａ〜プロジェクター２００Ｄは、以下のように接続される。
すなわち、プロジェクター２００Ａとプロジェクター２００Ｂとは、ＨＤＭＩケーブル２２によって接続される。プロジェクター２００Ｂとプロジェクター２００Ｃとは、ＨＤＭＩケーブル２３によって接続される。プロジェクター２００Ｃとプロジェクター２００Ｄとは、ＨＤＭＩケーブル２４によって接続される。プロジェクター２００Ｄとプロジェクター２００Ａとは、ＨＤＭＩケーブル２５によって接続される。
【００３８】
ＨＤＭＩケーブル２１〜ＨＤＭＩケーブル２５の各々は、画像データや音声データ、制御情報の伝送用のデータ線を有する。このデータ線は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）チャネル＃０，＃１，＃２の３つのデータ線である。これらのデータ線は、差動信号であるＨＤＭＩ信号を一方向にシリアルに伝送するデータ線である。
また、ＨＤＭＩケーブル２１〜ＨＤＭＩケーブル２５の各々は、この他に、ＣＥＣ（Ｃｏｎｓｕｍｅｒ  Ｅｌｅｃｔｒｏｎｉｃｓ  Ｃｏｎｔｒｏｌ）線やＤＤＣ（Ｄｉｓｐｌａｙ  Ｄａｔａ  Ｃｈａｎｎｅｌ）線を有する。ＣＥＣ線は、ＨＤＭＩケーブルに接続した機器間で、制御用のデータを双方向に通信する信号線である。ＤＤＣ線は、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）の読み出しに使用される２本の信号線である。Ｅ−ＥＤＩＤは、ＨＤＭＩ信号の供給を受ける側の装置であるシンク機器を特定するデバイス情報である。
【００３９】
図１には、プロジェクター２００Ａ〜プロジェクター２００Ｄが横方向に一列で配置され、各プロジェクター２００がスクリーンＳＣに画像を横並びで投射する場合を示す。プロジェクター２００Ａは、画像をスクリーンＳＣの投射領域１０Ａに投射し、プロジェクター２００Ｂは、画像をスクリーンＳＣの投射領域１０Ｂに投射する。また、プロジェクター２００Ｃは、画像をスクリーンＳＣの投射領域１０Ｃに投射し、プロジェクター２００Ｄは、画像をスクリーンＳＣの投射領域１０Ｄに投射する。プロジェクター２００Ａ〜プロジェクター２００ＤがスクリーンＳＣに画像を投射することは「表示」に相当する。
【００４０】
表示システム１は、プロジェクター２００Ａ〜プロジェクター２００Ｄが投射する画像をスクリーンＳＣにおいて結合させ、一つの大画面の画像をスクリーンＳＣに投射するタイリング投射を行う。一つの大画面の画像は、「１の画像」の一例に対応する。
すなわち、タイリング投射では、隣接するプロジェクター２００は、投射部２１０により投射する画像がスクリーンＳＣにおいて結合するように配置される。
【００４１】
また、タイリング投射では、プロジェクター２００は、投射する画像の縁が隣接するプロジェクター２００が投射する画像の縁と互いに重なり合うように画像を投射する。これは、投射される画像の境界が目立たないようにするためである。例えば、プロジェクター２００Ａが投射する画像と、その右側に位置するプロジェクター２００Ｂが投射する画像とは、互いの縁が重なって重畳領域１１を形成する。同様に、プロジェクター２００Ｂが投射する画像と、その右側に位置するプロジェクター２００Ｃが投射する画像とは、互いの縁が重なって重畳領域１２を形成する。同様に、プロジェクター２００Ｃが投射する画像と、その右側に位置するプロジェクター２００Ｄが投射する画像とは、互いの縁が重なって重畳領域１３を形成する。
【００４２】
また、本実施形態は、プロジェクター２００Ａ〜２００Ｄが画像を投射する投射対象がスクリーンＳＣである場合を例にして説明するが、投射対象は、スクリーンＳＣに限定されない。投射対象は、一様な平面であってもよいし、曲面、不連続面あるいは凹凸を有する面などであってもよい。具体的には、建物の壁面や物体の表面を投射対象とすることができる。
また、プロジェクター２００Ａ〜２００Ｄの設置方法は、平置きに限定されるものではなく、プロジェクター２００Ａ〜２００Ｄを天井から吊り下げる天吊り設置や、壁面に掛ける壁掛け設置とすることも可能である。
また、図１には、プロジェクター２００Ａ〜２００Ｄを横一列に並べて配置（水平配置）した場合を示すが、プロジェクター２００Ａ〜２００Ｄを縦一列に並べて配置（垂直配置）してもよい。また、プロジェクター２００Ａ〜２００Ｄを水平方向、垂直方向にそれぞれ、２台ずつ並べて配置（２行２列配置）してもよい。
【００４３】
また、本実施形態は、プロジェクター２００Ａ〜プロジェクター２００Ｄが投射する画像をスクリーンＳＣにおいて結合させ、一つの大画面の画像をスクリーンＳＣに投射するタイリング投射を行うが、これに限定されない。プロジェクター２００Ａ〜プロジェクター２００Ｄが表示する４つの投射画像によって１の画像を形成するマルチ投射システムであればよい。例えば、プロジェクター２００Ａ〜プロジェクター２００Ｄが表示する４つの投射画像を１つの投射領域に互いに重畳させて投射し、輝度の高い１つの投射画像を形成してもよい。１つの投射領域は、例えば、投射領域１０Ｂである。
【００４４】
［２．画像供給装置の構成］
図２は、画像供給装置１００の構成を示す構成図である。画像供給装置１００Ａ〜画像供給装置１００Ｄの各々の構成は同一であるため、以下では、画像供給装置１００Ａの構成について説明し、画像供給装置１００Ｂ〜画像供給装置１００Ｄの各々については、その説明を省略する。
画像供給装置１００Ａは、制御部１１０Ａ、再生部１２０Ａ、記録媒体１３０Ａ、及びＨＤＭＩ（登録商標）通信部１４０Ａを備える。
制御部１１０Ａは、画像供給装置１００Ａを制御する。記録媒体１３０Ａは、ＤＶＤやＢｌｕ−ｒａｙ（登録商標）ディスク等で構成され、コンテンツの画像データや音声データ等を記憶する。
再生部１２０Ａは、制御部１１０Ａの制御に従って、記録媒体１３０Ａに記録されたコンテンツを再生する。また、再生部１２０Ａは、再生したコンテンツの画像データや音声データをＨＤＭＩ通信部１４０Ａに出力する。
ＨＤＭＩ通信部１４０Ａは、再生部１２０Ａから入力される画像データ及び音声データを、制御部１１０Ａの制御に従って、所定の伝送フォーマットのＨＤＭＩ信号に変換する。ＨＤＭＩ通信部１４０Ａは、制御部１１０Ａの制御に従って、ＨＤＭＩ信号をＨＤＭＩケーブル２１Ａに出力する。
なお、再生部１２０Ａは、フラッシュメモリー等の半導体記憶装置やＨＤＤ（Ｈａｒｄ  Ｄｉｓｋ  Ｄｒｉｖｅ）等の磁気記憶装置、光磁気記憶装置に記憶されたコンテンツを再生してもよい。また、ネットワーク上のサーバー装置からダウンロードされたコンテンツを再生部１２０Ａで再生する構成であってもよい。
【００４５】
［３．プロジェクターの構成］
図３は、プロジェクター２００Ａの構成を示す構成図である。プロジェクター２００Ａ〜２００Ｄの各々の構成は同一であるため、以下では、プロジェクター２００Ａの構成について説明し、プロジェクター２００Ｂ〜２００Ｄの各々については、その説明を省略する。
また、以下の説明では、各プロジェクター２００の構成要素を区別するため、プロジェクター２００Ａの構成要素には「Ａ」の符号を付し、プロジェクター２００Ｂの構成要素には「Ｂ」の符号を付す。同様に、プロジェクター２００Ｃの構成要素には「Ｃ」の符号を付し、プロジェクター２００Ｄの構成要素には「Ｄ」の符号を付して説明する。
例えば、プロジェクター２００Ａの制御部を制御部２８０Ａと記載し、プロジェクター２００Ｂの制御部を制御部２８０Ｂと記載する。同様に、プロジェクター２００Ｃの制御部を制御部２８０Ｃと記載し、プロジェクター２００Ｄの制御部を制御部２８０Ｄと記載する。
【００４６】
プロジェクター２００ＡのＨＤＭＩ通信部２５０Ａは、第１受信部２５４Ａと、第２受信部２５２Ａと、送信部２５６Ａとを備える。
第１受信部２５４Ａは、ＨＤＭＩケーブル２１Ａに接続する接続端子と、受信したＨＤＭＩ信号を処理して、画像データや音声データ、制御情報に変換するインターフェイス回路とを備える。
第２受信部２５２Ａは、ＨＤＭＩケーブル２５に接続する接続端子と、受信したＨＤＭＩ信号を処理して、画像データや音声データ、制御情報に変換するインターフェイス回路とを備える。
また、送信部２５６Ａは、ＨＤＭＩケーブル２２に接続する接続端子と、画像データや音声データ、制御情報をＨＤＭＩ信号に変換するインターフェイス回路とを備える。
【００４７】
プロジェクター２００Ａは、光学的な画像の形成を行い、スクリーンＳＣに画像を投射する投射部２１０Ａを備える。投射部２１０Ａは、光源部２１１Ａ、光変調装置２１２Ａ及び投射光学系２１３Ａを備える。投射部２１０Ａは、「表示部」の一例に対応する。
光源部２１１Ａは、キセノンランプや、超高圧水銀ランプ、ＬＥＤ（Ｌｉｇｈｔ  Ｅｍｉｔｔｉｎｇ  Ｄｉｏｄｅ）、レーザー光源等からなる光源を備える。また、光源部２１１Ａは、光源が発した光を光変調装置２１２Ａに導くリフレクター及び補助リフレクターを備えてもよい。更に、光源部２１１Ａは、投射光の光学特性を高めるためのレンズ群、偏光板、又は光源が発した光の光量を光変調装置２１２Ａに至る経路上で低減させる調光素子等を備えてもよい。
【００４８】
光源部２１１Ａは、光源駆動部２２１Ａにより駆動される。光源駆動部２２１Ａは、内部バス２９０Ａに接続され、同じく内部バス２９０Ａに接続された制御部２８０Ａの制御に従って、光源部２１１Ａの光源を点灯及び消灯させる。
【００４９】
光変調装置２１２Ａは、例えば、Ｒ、Ｇ及びＢの三原色に対応した３枚の液晶パネル２１５Ａを備える。Ｒは赤色を示し、Ｇは緑色を示し、Ｂは青色を示す。すなわち、光変調装置２１２Ａは、Ｒ色光に対応した液晶パネル２１５Ａと、Ｇ色光に対応した液晶パネル２１５Ａと、Ｂ色光に対応した液晶パネル２１５Ａとを備える。
光源部２１１Ａが発する光はＲＧＢの３色の色光に分離され、それぞれ対応する液晶パネル２１５Ａに入射される。３枚の液晶パネル２１５Ａの各々は、透過型の液晶パネルであり、透過する光を変調して画像光を生成する。各液晶パネル２１５Ａを通過して変調された画像光は、クロスダイクロイックプリズム等の合成光学系によって合成され、投射光学系２１３Ａに射出される。
【００５０】
光変調装置２１２Ａは、光変調装置駆動部２２２Ａにより駆動される。光変調装置駆動部２２２Ａは、内部バス２９０Ａに接続される。
光変調装置駆動部２２２Ａには、画像処理部２６０ＡからＲ，Ｇ，Ｂの各原色に対応する画像データが入力される。光変調装置駆動部２２２Ａは、入力された画像データを液晶パネル２１５Ａの動作に適したデータ信号に変換する。光変調装置駆動部２２２Ａは、変換したデータ信号に基づいて、各液晶パネル２１５Ａの各画素に電圧を印加し、各液晶パネル２１５Ａに画像を描画する。
【００５１】
投射光学系２１３Ａは、光変調装置２１２Ａにより変調された画像光をスクリーンＳＣに投射して、スクリーンＳＣ上に結像させるレンズ群を備える。また、投射光学系２１３Ａは、スクリーンＳＣに投射される画像を拡大又は縮小させるズーム機構や、フォーカスの調整を行うフォーカス調整機構を備えてもよい。
【００５２】
プロジェクター２００Ａは、操作パネル２３１Ａ、リモコン受光部２３５Ａ及び入力処理部２３３Ａを備える。操作パネル２３１Ａ及びリモコン受光部２３５Ａは、内部バス２９０Ａに接続された入力処理部２３３Ａに接続される。
操作パネル２３１Ａには、プロジェクター２００Ａを操作するための各種操作キーが設けられる。操作パネル２３１Ａには、例えば、プロジェクター２００Ａの電源オン又は電源オフを指示するための電源キー、各種設定を行うためのメニューキー等が設けられる。入力処理部２３３Ａは、操作キーが操作されると、操作されたキーに対応した操作信号を制御部２８０Ａに出力する。
【００５３】
また、プロジェクター２００Ａは、ユーザーが使用するリモコン５を有する。リモコン５は各種のボタンを備えており、これらのボタンの操作に対応して赤外線信号を送信する。
リモコン受光部２３５Ａは、リモコン５から送信される赤外線信号を受信する。入力処理部２３３Ａは、リモコン受光部２３５Ａが受信した赤外線信号をデコードして、リモコン５における操作内容を示す操作信号を生成し、制御部２８０Ａに出力する。
【００５４】
プロジェクター２００Ａは、音声処理部２４０Ａ及びスピーカー２４３Ａを備える。
音声処理部２４０Ａは、音声データに復号化、Ｄ／Ａ変換、増幅等の信号処理を施し、アナログの音声信号に変換してスピーカー２４３Ａに出力する。
【００５５】
プロジェクター２００Ａは、無線通信部２４７Ａを備える。無線通信部２４７Ａは、内部バス２９０Ａに接続され、制御部２８０Ａの制御に従って動作する。
無線通信部２４７Ａは、図示しないアンテナやＲＦ（Ｒａｄｉｏ  Ｆｒｅｑｕｅｎｃｙ）回路等を備え、制御部２８０Ａの制御の下、外部の装置との間で無線通信を実行する。無線通信部２４７Ａの無線通信方式には、例えば無線ＬＡＮ（Ｌｏｃａｌ  Ａｒｅａ  Ｎｅｔｗｏｒｋ）、Ｂｌｕｅｔｏｏｔｈ（登録商標）、ＵＷＢ（Ｕｌｔｒａ  Ｗｉｄｅ  Ｂａｎｄ）、赤外線通信等の近距離無線通信方式を採用できる。また、無線通信部２４７Ａの無線通信方式として携帯電話回線を利用した無線通信方式を採用できる。
【００５６】
プロジェクター２００Ａは、画像処理系を備える。この画像処理系は、プロジェクター２００Ａの全体を統合的に制御する制御部２８０Ａを中心に構成され、この他に、画像処理部２６０Ａ、フレームメモリー２６５Ａ及び記憶部２７０Ａを備える。制御部２８０Ａ、画像処理部２６０Ａ及び記憶部２７０Ａは、内部バス２９０Ａにより相互にデータ通信可能に接続される。
【００５７】
画像処理部２６０Ａは、画像供給装置１００から受信した画像データをフレームメモリー２６５Ａに展開して処理する。画像処理部２６０Ａが行う処理には、例えば、解像度変換処理又はリサイズ処理、歪み補正等の形状補正処理、デジタルズーム処理、色調補正処理、輝度補正処理等が含まれる。画像処理部２６０Ａは、制御部２８０Ａにより指定された処理を実行し、必要に応じて、制御部２８０Ａから入力されるパラメーターを使用して処理を行う。また、画像処理部２６０Ａは、上記のうち複数の処理を組み合わせて実行することも勿論可能である。画像処理部２６０Ａは、処理が終了した画像データをフレームメモリー２６５Ａから読み出し、光変調装置駆動部２２２Ａに出力する。
【００５８】
記憶部２７０Ａは、例えば、ハードディスク装置等の補助記憶装置である。記憶部２７０Ａは、ＤＲＡＭ（Ｄｙｎａｍｉｃ  ＲＡＭ）、大容量の情報の記憶が可能なフラッシュメモリー又はＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等の光ディスクで代替されてもよい。記憶部２７０Ａは、制御部２８０Ａが実行する制御プログラムや各種データを記憶する。
また、記憶部２７０Ａは、プロジェクター２００Ａ〜プロジェクター２００Ｄの各々の個体情報を記憶する。記憶部２７０Ｂ〜記憶部２７０Ｄの各々についても同様である。
プロジェクター２００Ａの個体情報は、ユーザーが操作パネル２３１Ａを操作して入力してもよいし、ＤＤＣ線を介してＥ−ＥＤＩＤから読み出したプロジェクター２００Ａのデバイス情報を使用してもよい。
【００５９】
制御部２８０Ａは、プロジェクター２００Ａの各部を制御する。制御部２８０Ａは、ハードウェアとしてＣＰＵ（Ｃｅｎｔｒａｌ  Ｐｒｏｃｅｓｓｉｎｇ  Ｕｎｉｔ）のようなプロセッサー、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、その他の周辺回路等を備える。
ＲＯＭは、フラッシュＲＯＭ等の不揮発性の記憶装置であり、制御プログラム及びデータを記憶する。ＲＡＭは、ＣＰＵが演算処理を行う際のワークエリアとして使用される。プロセッサーは、ＲＯＭや記憶部２７０Ａから読み出した制御プログラムをＲＡＭに展開し、展開した制御プログラムを実行してプロジェクター２００Ａの各部を制御する。制御部２８０Ａの構成ついては、後述にて図４を参照して詳細に説明する。
【００６０】
図４は、プロジェクター２００Ａの制御部２８０Ａの構成と、プロジェクター２００Ｂの制御部２８０Ｂの構成とを示す構成図である。
制御部２８０Ｂ〜制御部２８０Ｄの各々の構成は同一であるため、制御部２８０Ｂの構成について説明し、制御部２８０Ｃ及び制御部２８０Ｄについては、その説明を省略する。
プロジェクター２００Ａは、「第１表示装置」の一例に対応する。プロジェクター２００Ｄは、「第２表示装置」の一例に対応する。また、プロジェクター２００Ｂ〜プロジェクター２００Ｄの各々は、「複数の表示装置のうちのいずれかの表示装置」の一例に対応する。
【００６１】
制御部２８０Ａは、第１入力部２８１Ａ、第２入力部２８２Ａ、画像処理部２８３Ａ、出力部２８４Ａ及び表示制御部２８５Ａを備える。
具体的には、制御部２８０Ａのプロセッサーは、ＲＯＭや記憶部２７０Ａから読み出した制御プログラムを実行することによって、第１入力部２８１Ａ、第２入力部２８２Ａ、画像処理部２８３Ａ、出力部２８４Ａ及び表示制御部２８５Ａとして機能する。
【００６２】
第１入力部２８１Ａには、画像供給装置１００Ａから第１入力画像ＰＡｎが入力される。具体的には、第１受信部２５４Ａが画像供給装置１００Ａから送信されるＨＤＭＩ信号を受信し、第１入力部２８１Ａに、第１受信部２５４Ａが受信したＨＤＭＩ信号に含まれる第１入力画像ＰＡｎが入力される。第１入力画像ＰＡｎの参照符号に含まれる記号「ｎ」は、第ｎフレームの画像であることを示す。第１入力画像ＰＡｎは、「第１画像」の一例に対応する。なお、「ｎ」は、２以上の自然数である。
【００６３】
第２入力部２８２Ａには、プロジェクター２００Ｄから第４合成画像ＳＰ４ｎが入力される。具体的には、第２受信部２５２Ａがプロジェクター２００Ｄから送信されるＨＤＭＩ信号を受信し、第２入力部２８２Ａに、第２受信部２５２Ａが受信したＨＤＭＩ信号に含まれる第４合成画像ＳＰ４ｎが入力される。第４合成画像ＳＰ４ｎの参照符号に含まれる記号「ｎ」は、第ｎフレームの画像であることを示す。第４合成画像ＳＰ４ｎは、「第２画像」の一例に対応する。第４合成画像ＳＰ４ｎについては、後述にて図５を参照して詳細に説明する。
【００６４】
画像処理部２８３Ａは、第２入力部２８２Ａに入力された第４合成画像ＳＰ４ｎのフラグＦＬが「０」である場合に、第４合成画像ＳＰ４ｎのフラグＦＬを「１」に変更する。フラグＦＬは、「識別情報」の一例に対応する。具体的には、フラグＦＬを「１」にした状態は、「識別情報が付与された状態」の一例に対応する。フラグＦＬを「０」にした状態は、「識別情報が付与されていない状態」の一例に対応する。
画像処理部２８３Ａは、第１入力画像ＰＡｎを含み第４合成画像ＳＰ４ｎを含まない第１合成画像ＳＰ１ｎを生成する。
具体的には、画像処理部２８３Ａは、第２入力部２８２Ａに入力された第４合成画像ＳＰ４ｎのフラグＦＬが「０」である場合に、第１入力画像ＰＡｎを、予め設定された背景画像ＰＧと合成して第１合成画像ＳＰ１ｎを生成する。また、画像処理部２８３Ａは、第１合成画像ＳＰ１ｎにフラグＦＬとして「０」を付与する。
第１合成画像ＳＰ１ｎの参照符号に含まれる記号「ｎ」は、第ｎフレームの画像であることを示す。第１合成画像ＳＰ１ｎは、「出力画像」の一例に対応する。第１合成画像ＳＰ１ｎについては、後述にて図５を参照して詳細に説明する。
【００６５】
出力部２８４Ａは、第１合成画像ＳＰ１ｎを他のプロジェクター２００が備える第２入力部２８２に対して出力する。
具体的には、第２入力部２８２Ａに入力された第４合成画像ＳＰ４ｎのフラグＦＬが「０」である場合に、出力部２８４Ａは、フラグＦＬを「１」にした状態で第２入力部２８２Ａに入力された第４合成画像ＳＰ４ｎをプロジェクター２００Ｂが備える第２入力部２８２Ｂに対して出力する。
第２入力部２８２Ａに入力された第４合成画像ＳＰ４ｎのフラグＦＬが「１」である場合に、出力部２８４Ａは、第１合成画像ＳＰ１（ｎ＋１）をプロジェクター２００Ｂが備える第２入力部２８２Ｂに対して出力する。
第１合成画像ＳＰ１（ｎ＋１）の参照符号に含まれる記号「ｎ＋１」は、第（ｎ＋１）フレームの画像であることを示す。
【００６６】
表示制御部２８５Ａは、第２入力部２８２Ａに入力された第４合成画像ＳＰ４ｎのうち、設定された条件を満たす画像を投射部２１０Ａにより表示させる。
具体的には、第２入力部２８２Ａに入力された第４合成画像ＳＰ４ｎのフラグＦＬが「０」である場合に、表示制御部２８５Ａは、第４合成画像ＳＰ４ｎから第１投射画像ＰＪ１ｎを抽出して投射部２１０Ａに表示させる。
第１投射画像ＰＪ１ｎは、「出力画像の一部」の一例に対応する。「設定された条件」は、本実施形態では、第４合成画像ＳＰ４ｎのうち、予め設定された領域に含まれることである。第１投射画像ＰＪ１ｎの参照符号に含まれる記号「ｎ」は、第ｎフレームの画像であることを示す。
第２入力部２８２Ａに入力された第４合成画像ＳＰ４ｎのフラグＦＬが「１」である場合には、表示制御部２８５Ａは、以下の処理を実行する。すなわち、第２入力部２８２Ａにプロジェクター２００Ｄから第４合成画像ＳＰ４（ｎ＋１）が入力されるまでの間、表示制御部２８５Ａは、第１投射画像ＰＪ１ｎを投射部２１０Ａに継続して表示させる。
第４合成画像ＳＰ４（ｎ＋１）の参照符号に含まれる記号「ｎ＋１」は、第（ｎ＋１）フレームの画像であることを示す。
例えば、第１投射画像ＰＪ１ｎは、第４合成画像ＳＰ４ｎを幅方向に均等に４つの領域に分割して、生成された４つの領域のうちの左端の領域に含まれる画像である。すなわち、「設定された条件」は、本実施形態では、第４合成画像ＳＰ４ｎを幅方向に均等に４つの領域に分割して、生成された４つの領域のうちの左端の領域に含まれることである。
第１投射画像ＰＪ１ｎについては、後述にて図５を参照して詳細に説明する。
【００６７】
制御部２８０Ｂは、第１入力部２８１Ｂ、第２入力部２８２Ｂ、画像処理部２８３Ｂ、出力部２８４Ｂ及び表示制御部２８５Ｂを備える。
具体的には、制御部２８０Ｂのプロセッサーは、ＲＯＭや記憶部２７０Ｂから読み出した制御プログラムを実行することによって、第１入力部２８１Ｂ、第２入力部２８２Ｂ、画像処理部２８３Ｂ、出力部２８４Ｂ及び表示制御部２８５Ｂとして機能する。
【００６８】
第１入力部２８１Ｂには、画像供給装置１００Ｂから第２入力画像ＰＢｎが入力される。具体的には、第１受信部２５４Ｂが画像供給装置１００Ｂから送信されるＨＤＭＩ信号を受信し、第１入力部２８１Ｂに、第１受信部２５４Ｂが受信したＨＤＭＩ信号に含まれる第２入力画像ＰＢｎが入力される。第２入力画像ＰＢｎの参照符号に含まれる記号「ｎ」は、第ｎフレームの画像であることを示す。第２入力画像ＰＢｎは、「第１画像」の一例に対応する。
なお、第１入力部２８１Ｃに画像供給装置１００Ｃから入力される第３入力画像ＰＣｎは、「第１画像」の一例に対応する。また、第１入力部２８１Ｄに画像供給装置１００Ｄから入力される第４入力画像ＰＤｎは、「第１画像」の一例に対応する。
【００６９】
第２入力部２８２Ｂには、プロジェクター２００Ａから第１合成画像ＳＰ１ｎ、又は、第４合成画像ＳＰ４ｎが入力される。
具体的には、第２受信部２５２Ｂがプロジェクター２００Ａから送信されるＨＤＭＩ信号を受信し、第２入力部２８２Ｂには、第２受信部２５２Ｂが受信したＨＤＭＩ信号に含まれる第１合成画像ＳＰ１ｎ、又は、第４合成画像ＳＰ４ｎが入力される。なお、第４合成画像ＳＰ４ｎには、フラグＦＬとして「１」が付与されている。
第１合成画像ＳＰ１ｎは、「第２画像」の一例に対応する。第１合成画像ＳＰ１ｎは、プロジェクター２００Ａの画像処理部２８３Ａによって生成される。第１合成画像ＳＰ１ｎについては、後述にて図５を参照して詳細に説明する。
【００７０】
画像処理部２８３Ｂは、第２入力部２８２Ｂにプロジェクター２００Ａから第１合成画像ＳＰ１ｎが入力された場合に、第２入力画像ＰＢｎと第１合成画像ＳＰ１ｎとに基づき第２合成画像ＳＰ２ｎを生成する。第２合成画像ＳＰ２ｎは、「出力画像」の一例に対応する。具体的には、画像処理部２８３Ｂは、第１合成画像ＳＰ１ｎに第２入力画像ＰＢｎを合成して、第２合成画像ＳＰ２ｎを生成する。また、画像処理部２８３Ｂは、第２合成画像ＳＰ２ｎにフラグＦＬとして「０」を付与する。
第２合成画像ＳＰ２ｎの参照符号に含まれる記号「ｎ」は、第ｎフレームの画像であることを示す。第２合成画像ＳＰ２ｎについては、後述にて図５を参照して詳細に説明する。
なお、第２入力部２８２Ｂにプロジェクター２００Ａから第４合成画像ＳＰ４ｎが入力された場合には、画像処理部２８３Ｂは、第４合成画像ＳＰ４ｎに対する処理を実行しない。
【００７１】
出力部２８４Ｂは、第２合成画像ＳＰ２ｎを他のプロジェクター２００が備える第２入力部２８２に対して出力する。
具体的には、第２入力部２８２Ｂにプロジェクター２００Ａから第１合成画像ＳＰ１ｎが入力された場合に、出力部２８４Ｂは、第２合成画像ＳＰ２ｎをプロジェクター２００Ｃが備える第２入力部２８２Ｃに対して出力する。
また、第２入力部２８２Ｂにプロジェクター２００Ａから第４合成画像ＳＰ４ｎが入力された場合に、出力部２８４Ｂは、第４合成画像ＳＰ４ｎをプロジェクター２００Ｃが備える第２入力部２８２Ｃに対して出力する。なお、第４合成画像ＳＰ４ｎには、フラグＦＬとして「１」が付与されている。
【００７２】
表示制御部２８５Ｂは、第４合成画像ＳＰ４ｎのうち、設定された条件を満たす画像を投射部２１０Ｂにより表示させる。
具体的には、第２入力部２８２Ｂにプロジェクター２００Ａから第４合成画像ＳＰ４ｎが入力された場合に、表示制御部２８５Ｂは、第４合成画像ＳＰ４ｎから第２投射画像ＰＪ２ｎを抽出して投射部２１０Ｂに表示させる。第４合成画像ＳＰ４ｎには、フラグＦＬとして「１」が付与されている。
なお、第２入力部２８２Ｂにプロジェクター２００Ａから第１合成画像ＳＰ１ｎが入力された場合には、表示制御部２８５Ｂは、以下の処理を実行する。すなわち、第２入力部２８２Ｂにプロジェクター２００Ａから第４合成画像ＳＰ４ｎが入力されるまでの間、表示制御部２８５Ｂは、継続して第２投射画像ＰＪ２（ｎ−１）を投射部２１０Ｂに表示させる。第２投射画像ＰＪ２（ｎ−１）の参照符号に含まれる記号「ｎ−１」は、第（ｎ−１）フレームの画像であることを示す。
換言すれば、第２入力部２８２Ｂにプロジェクター２００Ａから第１合成画像ＳＰ１ｎが入力された場合には、表示制御部２８５Ｂは、第１合成画像ＳＰ１ｎの一部を投射部２１０Ｂに表示させる処理は実行しない。第１合成画像ＳＰ１ｎには、フラグＦＬとして「０」が付与されているからである。
第２投射画像ＰＪ２ｎは、「出力画像の一部」の一例に対応する。「設定された条件」は、本実施形態では、第４合成画像ＳＰ４ｎのうち、予め設定された領域に含まれることである。第２投射画像ＰＪ２ｎの参照符号に含まれる記号「ｎ」は、第ｎフレームの画像であることを示す。
例えば、第２投射画像ＰＪ２ｎは、第４合成画像ＳＰ４ｎを幅方向に均等に４つの領域に分割して、生成された４つの領域のうちの左から２番目の領域に含まれる画像である。すなわち、「設定された条件」は、本実施形態では、第４合成画像ＳＰ４ｎを幅方向に均等に４つの領域に分割して、生成された４つの領域のうちの左から２番目の領域に含まれることである。
第２投射画像ＰＪ２ｎについては、後述にて図５を参照して詳細に説明する。
【００７３】
［４．プロジェクターの入力および出力］
図５は、プロジェクター２００Ａ〜プロジェクター２００Ｄの各々の入力情報及び出力情報を示す図である。
図６は、表示システム１の「合成画像生成処理」を示すシーケンス図である。「合成画像生成処理」は、第１合成画像ＳＰ１ｎ〜第４合成画像ＳＰ４ｎを生成する処理を示す。
図７は、表示システム１の「投射処理」を示すシーケンス図である。「投射処理」は、第１投射画像ＰＪ１ｎ〜第４投射画像ＰＪ４ｎを出力する処理を示す。
図５〜図７では、第ｎフレームの第１入力画像ＰＡｎ〜第４入力画像ＰＤｎが入力され、第１投射画像ＰＪ１ｎ〜第４投射画像ＰＪ４ｎが出力されるまでのプロジェクター２００Ａ〜プロジェクター２００Ｄの各々の処理の内容、入力情報及び出力情報について説明する。
【００７４】
図５及び図６に示すように、まず、ステップＳ１０１において、プロジェクター２００Ａの第１受信部２５４Ａに、画像供給装置１００Ａから第１入力画像ＰＡｎが入力される。
そして、ステップＳ１０３において、制御部２８０Ａの画像処理部２８３Ａが、第１入力画像ＰＡｎと背景画像ＰＧとに基づいて第１合成画像ＳＰ１ｎを生成する。
具体的には、画像処理部２８３Ａは、第１入力画像ＰＡｎを予め設定されたサイズＳ１に調整した後、背景画像ＰＧの予め設定された位置Ｐ１に配置することによって、第１入力画像ＰＡｎを背景画像ＰＧと合成し、第１合成画像ＳＰ１ｎを生成する。
次に、ステップＳ１０５において、制御部２８０Ａの出力部２８４Ａは、第１合成画像ＳＰ１ｎを、送信部２５６Ａからプロジェクター２００Ｂに送信する。
【００７５】
次に、ステップＳ１０７において、プロジェクター２００Ｂの第１受信部２５４Ｂに、画像供給装置１００Ｂから第２入力画像ＰＢｎが入力され、プロジェクター２００Ｂの第２受信部２５２Ｂに、プロジェクター２００Ａから、第１合成画像ＳＰ１ｎが入力される。
そして、ステップＳ１０９において、制御部２８０Ｂの画像処理部２８３Ｂが、第２入力画像ＰＢｎと第１合成画像ＳＰ１ｎとに基づいて第２合成画像ＳＰ２ｎを生成する。
具体的には、画像処理部２８３Ｂは、第２入力画像ＰＢｎを予め設定されたサイズＳ２に調整した後、第１合成画像ＳＰ１ｎの予め設定された位置Ｐ２に配置することによって、第２入力画像ＰＢｎを第１合成画像ＳＰ１ｎと合成し、第２合成画像ＳＰ２ｎを生成する。
なお、本実施形態では、サイズＳ２は、サイズＳ１より大きく、位置Ｐ２は、位置Ｐ１に対して左方向に設定される。
次に、ステップＳ１１１において、制御部２８０Ｂの出力部２８４Ｂは、第２合成画像ＳＰ２ｎを、送信部２５６Ｂからプロジェクター２００Ｃに送信する。
【００７６】
次に、ステップＳ１１３において、プロジェクター２００Ｃの第１受信部２５４Ｃに、画像供給装置１００Ｃから第３入力画像ＰＣｎが入力され、プロジェクター２００Ｃの第２受信部２５２Ｃに、プロジェクター２００Ｂから、第２合成画像ＳＰ２ｎが入力される。
そして、ステップＳ１１５において、制御部２８０Ｃの画像処理部２８３Ｃが、第３入力画像ＰＣｎと第２合成画像ＳＰ２ｎとに基づいて第３合成画像ＳＰ３ｎを生成する。
具体的には、画像処理部２８３Ｃは、第３入力画像ＰＣｎを予め設定されたサイズＳ３に調整した後、第２合成画像ＳＰ２ｎの予め設定された位置Ｐ３に配置することによって、第３入力画像ＰＣｎを第２合成画像ＳＰ２ｎと合成し、第３合成画像ＳＰ３ｎを生成する。
なお、本実施形態では、サイズＳ３は、サイズＳ１及びサイズＳ２より大きく、位置Ｐ３は、位置Ｐ１及び位置Ｐ２に対して右方向に設定される。
次に、ステップＳ１１７において、制御部２８０Ｃの出力部２８４Ｃは、第３合成画像ＳＰ３ｎを、送信部２５６Ｃからプロジェクター２００Ｄに送信する。
【００７７】
次に、ステップＳ１１９において、プロジェクター２００Ｄの第１受信部２５４Ｄに、画像供給装置１００Ｄから第４入力画像ＰＤｎが入力され、プロジェクター２００Ｄの第２受信部２５２Ｄに、プロジェクター２００Ｃから、第３合成画像ＳＰ３ｎが入力される。
そして、ステップＳ１２１において、制御部２８０Ｄの画像処理部２８３Ｄが、第４入力画像ＰＤｎと第３合成画像ＳＰ３ｎとに基づいて第４合成画像ＳＰ４ｎを生成し、第４合成画像ＳＰ４ｎフラグＦＬを「０」に設定する。
具体的には、画像処理部２８３Ｄは、第４入力画像ＰＤｎを予め設定されたサイズＳ４に調整した後、第３合成画像ＳＰ３ｎの予め設定された位置Ｐ４に配置することによって、第４入力画像ＰＤｎを第３合成画像ＳＰ３ｎと合成し、第４合成画像ＳＰ４ｎを生成する。
なお、本実施形態では、サイズＳ４は、サイズＳ１、サイズＳ２及びサイズＳ３より大きく、位置Ｐ４は、位置Ｐ１と位置Ｐ２との間に設定される。
次に、ステップＳ１２３において、制御部２８０Ｄの出力部２８４Ｄは、第４合成画像ＳＰ４ｎを、送信部２５６Ｄからプロジェクター２００Ａに送信する。
【００７８】
次に、図５及び図７に示すように、ステップＳ２０１において、プロジェクター２００Ａの第２受信部２５２Ａに、プロジェクター２００Ｄから、第４合成画像ＳＰ４ｎが入力される。また、画像処理部２８３Ａは、第２入力部２８２Ａに入力された第４合成画像ＳＰ４ｎのフラグＦＬを「０」から「１」に変更する。
次に、ステップＳ２０３において、表示制御部２８５Ａは、第４合成画像ＳＰ４ｎから第１投射画像ＰＪ１ｎを抽出して投射部２１０Ａに表示させる。
具体的には、第１投射画像ＰＪ１ｎは、例えば、第４合成画像ＳＰ４ｎを幅方向に均等に４つの領域に分割して、生成された４つの領域のうちの左端の領域に含まれる画像である。本実施形態では、第１投射画像ＰＪ１ｎは、第２入力画像ＰＢｎと第４入力画像ＰＤｎの一部とを含む。ここで、第４入力画像ＰＤｎの一部は、第４入力画像ＰＤｎの左端部である。
次に、ステップＳ２０５において、制御部２８０Ａの出力部２８４Ａは、第４合成画像ＳＰ４ｎを、送信部２５６Ａからプロジェクター２００Ｂに送信する。
【００７９】
次に、ステップＳ２０７において、プロジェクター２００Ｂの第２受信部２５２Ｂに、プロジェクター２００Ａから、フラグＦＬとして「１」が付与された第４合成画像ＳＰ４ｎが入力される。
次に、ステップＳ２０９において、表示制御部２８５Ｂは、第４合成画像ＳＰ４ｎから第２投射画像ＰＪ２ｎを抽出して投射部２１０Ｂに表示させる。
具体的には、第２投射画像ＰＪ２ｎは、例えば、第４合成画像ＳＰ４ｎを幅方向に均等に４つの領域に分割して、生成された４つの領域のうちの左から２番目の領域に含まれる画像である。本実施形態では、第２投射画像ＰＪ２ｎは、第４入力画像ＰＤｎの一部を含む。ここで、第４入力画像ＰＤｎの一部は、第４入力画像ＰＤｎの中央部である。
次に、ステップＳ２１１において、制御部２８０Ｂの出力部２８４Ｂは、第４合成画像ＳＰ４ｎを、送信部２５６Ｂからプロジェクター２００Ｃに送信する。
【００８０】
次に、ステップＳ２１３において、プロジェクター２００Ｃの第２受信部２５２Ｃに、プロジェクター２００Ｂから、フラグＦＬとして「１」が付与された第４合成画像ＳＰ４ｎが入力される。
次に、ステップＳ２１５において、表示制御部２８５Ｃは、第４合成画像ＳＰ４ｎから第３投射画像ＰＪ３ｎを抽出して投射部２１０Ｃに表示させる。
具体的には、第３投射画像ＰＪ３ｎは、例えば、第４合成画像ＳＰ４ｎを幅方向に均等に４つの領域に分割して、生成された４つの領域のうちの左から３番目の領域に含まれる画像である。本実施形態では、第３投射画像ＰＪ３ｎは、第１入力画像ＰＡｎと第３入力画像ＰＣｎの一部と第４入力画像ＰＤｎの一部とを含む。ここで、第３入力画像ＰＣｎの一部は、第３入力画像ＰＣｎの左端部であり、第４入力画像ＰＤｎの一部は、第４入力画像ＰＤｎの右端部である。
次に、ステップＳ２１７において、制御部２８０Ｃの出力部２８４Ｃは、第４合成画像ＳＰ４ｎを、送信部２５６Ｃからプロジェクター２００Ｄに送信する。
【００８１】
次に、ステップＳ２１９において、プロジェクター２００Ｄの第２受信部２５２Ｄに、プロジェクター２００Ｃから、フラグＦＬとして「１」が付与された第４合成画像ＳＰ４ｎが入力される。
次に、ステップＳ２２１において、表示制御部２８５Ｄは、第４合成画像ＳＰ４ｎから第４投射画像ＰＪ４ｎを抽出して投射部２１０Ｄに表示させる。
具体的には、第４投射画像ＰＪ４ｎは、例えば、第４合成画像ＳＰ４ｎを幅方向に均等に４つの領域に分割して、生成された４つの領域のうちの右端の領域に含まれる画像である。本実施形態では、第４投射画像ＰＪ４ｎは、第３入力画像ＰＣｎの一部を含む。ここで、第３入力画像ＰＣｎの一部は、第３入力画像ＰＣｎの左端部を除く画像である。
【００８２】
ステップＳ１０９、ステップＳ１１５及びステップＳ１２１の各々は、「画像処理ステップ」の一例に対応する。ステップＳ１１１、ステップＳ１１７及びステップＳ１２３の各々は、「出力ステップ」の一例に対応する。ステップＳ２０９、ステップＳ２１５及びステップＳ２２１の各々は、「表示ステップ」の一例に対応する。
【００８３】
図５〜図７を参照して説明したように、画像供給装置１００Ａ〜画像供給装置１００Ｄの各々からプロジェクター２００Ａ〜プロジェクター２００Ｄの各々に、第１入力画像ＰＡｎ〜第４入力画像ＰＤｎの各々が入力される。そして、プロジェクター２００Ａにおいて、第１入力画像ＰＡｎと背景画像ＰＧとが合成され、第１合成画像ＳＰ１ｎが生成される。また、プロジェクター２００Ｂにおいて、第２入力画像ＰＢｎと第１合成画像ＳＰ１ｎとが合成され、第２合成画像ＳＰ２ｎが生成される。また、プロジェクター２００Ｃにおいて、第３入力画像ＰＣｎと第２合成画像ＳＰ２ｎとが合成され、第３合成画像ＳＰ３ｎが生成される。また、プロジェクター２００Ｄにおいて、第４入力画像ＰＤｎと第３合成画像ＳＰ３ｎとが合成され、第４合成画像ＳＰ４ｎが生成される。
このようにして、背景画像ＰＧと第１入力画像ＰＡｎ〜第４入力画像ＰＤｎとが合成された第４合成画像ＳＰ４ｎを生成できる。
【００８４】
図８は、表示システム１のタイミングチャートである。図８の横軸は、時間Ｔを示す。
【００８５】
［５．投射処理のタイミング］
図８に示すように、時間Ｔ０において、プロジェクター２００Ａの第１受信部２５４Ａが、画像供給装置１００Ａから第１入力画像ＰＡｎを受信し、第２受信部２５２Ａがプロジェクター２００Ｄから第４合成画像ＳＰ４（ｎ−１）を受信する。
なお、第４合成画像ＳＰ４（ｎ−１）には、フラグＦＬとして「０」が付与されている。また、第４合成画像ＳＰ４（ｎ−１）の参照符号に含まれる記号「ｎ−１」は、第（ｎ−１）フレームの画像であることを示す。
また、表示制御部２８５Ａは、第４合成画像ＳＰ４（ｎ−１）から第１投射画像ＰＪ１（ｎ−１）を抽出して、時間Ｔ１において、投射部２１０Ａは、第１投射画像ＰＪ１（ｎ−１）を表示する。
また、画像処理部２８３Ａが第４合成画像ＳＰ４（ｎ−１）のフラグＦＬを「０」から「１」に変更し、時間Ｔ１において、送信部２５６Ａが第４合成画像ＳＰ４（ｎ−１）をプロジェクター２００Ｂに送信する。
なお、図８では、受信した画像に付与されているフラグＦＬを入力フラグＦＬと記載し、送信する画像に付与されているフラグＦＬを出力フラグＦＬと記載している。
【００８６】
また、時間Ｔ１において、プロジェクター２００Ｂの第２受信部２５２Ｂがプロジェクター２００Ａから第４合成画像ＳＰ４（ｎ−１）を受信する。なお、第４合成画像ＳＰ４（ｎ−１）には、フラグＦＬとして「１」が付与されている。
また、表示制御部２８５Ｂは、第４合成画像ＳＰ４（ｎ−１）から第２投射画像ＰＪ２（ｎ−１）を抽出して、時間Ｔ２において、投射部２１０Ｂは、第２投射画像ＰＪ２（ｎ−１）を表示する。
また、時間Ｔ２において、送信部２５６Ｂが第４合成画像ＳＰ４（ｎ−１）をプロジェクター２００Ｃに送信する。
なお、プロジェクター２００Ｂ〜プロジェクター２００Ｄの各々においては、フラグＦＬの値を変更する処理は実行されない。そこで、図８におけるプロジェクター２００Ｂ〜プロジェクター２００Ｄの各々に対応する処理では、入力フラグＦＬ又は出力フラグＦＬの値を記載している。
【００８７】
また、時間Ｔ２において、プロジェクター２００Ｃの第２受信部２５２Ｃがプロジェクター２００Ｂから第４合成画像ＳＰ４（ｎ−１）を受信する。なお、第４合成画像ＳＰ４（ｎ−１）には、フラグＦＬとして「１」が付与されている。
また、表示制御部２８５Ｃは、第４合成画像ＳＰ４（ｎ−１）から第３投射画像ＰＪ３（ｎ−１）を抽出して、時間Ｔ３において、投射部２１０Ｃは、第３投射画像ＰＪ３（ｎ−１）を表示する。
また、時間Ｔ３において、送信部２５６Ｃが第４合成画像ＳＰ４（ｎ−１）をプロジェクター２００Ｄに送信する。
【００８８】
また、時間Ｔ３において、プロジェクター２００Ｄの第２受信部２５２Ｄがプロジェクター２００Ｃから第４合成画像ＳＰ４（ｎ−１）を受信する。なお、第４合成画像ＳＰ４（ｎ−１）には、フラグＦＬとして「１」が付与されている。
また、表示制御部２８５Ｄは、第４合成画像ＳＰ４（ｎ−１）から第４投射画像ＰＪ４（ｎ−１）を抽出して、時間Ｔ４において、投射部２１０Ｄは、第４投射画像ＰＪ４（ｎ−１）を表示する。
また、時間Ｔ４において、送信部２５６Ｃが第４合成画像ＳＰ４（ｎ−１）をプロジェクター２００Ａに送信する。
【００８９】
［６．合成画像生成処理のタイミング］
また、プロジェクター２００Ａの画像処理部２８３Ａは、第１入力画像ＰＡｎと背景画像ＰＧとを合成して第１合成画像ＳＰ１ｎを生成し、時間Ｔ６において、送信部２５６Ａは、第１合成画像ＳＰ１ｎをプロジェクター２００Ｂに送信する。
【００９０】
また、時間Ｔ６において、プロジェクター２００Ｂの第２受信部２５２Ｂがプロジェクター２００Ａから第１合成画像ＳＰ１ｎを受信する。なお、第１合成画像ＳＰ１ｎには、フラグＦＬとして「０」が付与されているため、第１合成画像ＳＰ１ｎから投射画像は生成されない。
そして、プロジェクター２００Ｂの画像処理部２８３Ｂは、第２入力画像ＰＢｎと第１合成画像ＳＰ１ｎとを合成して第２合成画像ＳＰ２ｎを生成し、時間Ｔ７において、送信部２５６Ｂは、第２合成画像ＳＰ２ｎをプロジェクター２００Ｃに送信する。
【００９１】
また、時間Ｔ７において、プロジェクター２００Ｃの第２受信部２５２Ｃがプロジェクター２００Ｂから第２合成画像ＳＰ２ｎを受信する。なお、第２合成画像ＳＰ２ｎには、フラグＦＬとして「０」が付与されているため、第２合成画像ＳＰ２ｎから投射画像は生成されない。
そして、プロジェクター２００Ｃの画像処理部２８３Ｃは、第３入力画像ＰＣｎと第２合成画像ＳＰ２ｎとを合成して第３合成画像ＳＰ３ｎを生成し、時間Ｔ８において、送信部２５６Ｃは、第３合成画像ＳＰ３ｎをプロジェクター２００Ｄに送信する。
【００９２】
また、時間Ｔ８において、プロジェクター２００Ｄの第２受信部２５２Ｄがプロジェクター２００Ｃから第３合成画像ＳＰ３ｎを受信する。なお、第３合成画像ＳＰ３ｎには、フラグＦＬとして「０」が付与されているため、第３合成画像ＳＰ３ｎから投射画像は生成されない。
そして、プロジェクター２００Ｄの画像処理部２８３Ｄは、第４入力画像ＰＤｎと第３合成画像ＳＰ３ｎとを合成して第４合成画像ＳＰ４ｎを生成し、時間Ｔ９において、送信部２５６Ｄは、第４合成画像ＳＰ４ｎをプロジェクター２００Ａに送信する。
【００９３】
以上説明したように本実施形態では、プロジェクター２００Ａ〜プロジェクター２００Ｄのうちのプロジェクター２００Ｂ〜プロジェクター２００Ｄの各々は、第１入力部２８１と、第２入力部２８２と、画像処理部２８３と、出力部２８４と、表示制御部２８５とを備える。
プロジェクター２００Ｂ〜プロジェクター２００Ｄのうち、例えば、プロジェクター２００Ｂについて説明する。すなわち、プロジェクター２００Ｂは、第１入力部２８１Ｂと、第２入力部２８２Ｂと、画像処理部２８３Ｂと、出力部２８４Ｂと、表示制御部２８５Ｂとを備える。
第１入力部２８１Ｂには、第２入力画像ＰＢｎが入力される。第２入力部２８２Ｂには、プロジェクター２００Ａから第１合成画像ＳＰ１ｎが入力される。画像処理部２８３Ｂは、第２入力画像ＰＢｎと第１合成画像ＳＰ１ｎとに基づき、第２合成画像ＳＰ２ｎを生成する。出力部２８４Ｂは、第２合成画像ＳＰ２ｎをプロジェクター２００Ｃが備える第２入力部２８２Ｃに対して出力する。表示制御部２８５Ｂは、第２合成画像ＳＰ２ｎのうち、設定された条件を満たす画像を投射部２１０Ｂにより表示させる。
第２合成画像ＳＰ２ｎには、第１入力画像ＰＡｎと、第２入力画像ＰＢｎとが含まれるため、表示制御部２８５Ｂは、例えば、第１入力画像ＰＡｎ及び第２入力画像ＰＢｎのうち少なくとも一方を含む画像を表示できる。
したがって、映像分配器を用いることなく、第１入力画像ＰＡｎ及び第２入力画像ＰＢｎのうち少なくとも一方を含む画像を表示できる。
【００９４】
また、本実施形態では、プロジェクター２００Ａ〜プロジェクター２００Ｄはデイジーチェーン接続され、プロジェクター２００Ｄは、プロジェクター２００Ａの第２入力部２８２Ａに第４合成画像ＳＰ４ｎを出力する。プロジェクター２００Ａは、「第１表示装置」の一例に対応する。プロジェクター２００Ｄは、「第２表示装置」の一例に対応する。
プロジェクター２００Ｂ〜プロジェクター２００Ｄの各々は、表示制御部２８５により、フラグＦＬとして「１」が付与された第４合成画像ＳＰ４ｎの一部を投射部２１０により表示させる。
よって、フラグＦＬの値に応じて、表示制御部２８５は、合成画像から投射画像を生成して投射画像を投射部２１０により表示させるか否かを判定できる。例えば、フラグＦＬとして「１」が付与された第４合成画像ＳＰ４ｎを受信した場合に、表示制御部２８５が、第４合成画像ＳＰ４ｎの一部を投射部２１０により表示させる。また、例えば、フラグＦＬとして「０」が付与された第１合成画像ＳＰ１ｎ〜第３合成画像ＳＰ３ｎを受信した合に、表示制御部２８５が、第１合成画像ＳＰ１ｎ〜第３合成画像ＳＰ３ｎの一部を投射部２１０により表示させる処理は実行されない。したがって、簡素な構成で合成画像の一部を投射部２１０により表示させるか否かを設定できる。
【００９５】
また、本実施形態では、プロジェクター２００Ａの画像処理部２８３Ａは、第１入力画像ＰＡｎを含み、第４合成画像ＳＰ４（ｎ−１）を含まない第１合成画像ＳＰ１ｎを生成する。第１入力画像ＰＡｎは、「第１画像」の一例に対応する。第４合成画像ＳＰ４（ｎ−１）は、第２入力部２８２Ａから入力される画像であり、「第２画像」の一例に対応する。
よって、第２入力部２８２Ａから第４合成画像ＳＰ４（ｎ−１）が入力された場合に、第４合成画像ＳＰ４（ｎ−１）を含まない第１合成画像ＳＰ１ｎを生成できる。したがって、互いに異なるフレームの画像が画像処理部２８３によって合成されることを回避できる。
【００９６】
また、本実施形態では、プロジェクター２００Ａの画像処理部２８３Ａは、第１入力画像ＰＡｎを、予め設定された背景画像ＰＧに重畳して第１合成画像ＳＰ１ｎを生成する。
よって、例えば、背景画像ＰＧに対する第１入力画像ＰＡｎの位置Ｐ１を設定することによって、第１入力画像ＰＡｎの背景画像ＰＧに対する位置Ｐ１をユーザーの所望する位置に決定できる。また、例えば、背景画像ＰＧに対する第１入力画像ＰＡｎのサイズＳ１を設定することによって、背景画像ＰＧに対する第１入力画像ＰＡｎのサイズＳ１をユーザーの所望するサイズに決定できる。したがって、ユーザーの利便性を向上できる。
【００９７】
また、本実施形態では、プロジェクター２００Ａ〜プロジェクター２００Ｄの各々は、表示制御部〜表示制御部２８５Ｄにより、例えば、「１」を示すフラグＦＬが付与された第４合成画像ＳＰ４ｎの一部を抽出して投射部２１０Ａ〜投射部２１０Ｄに表示させる。
また、第４合成画像ＳＰ４ｎには、第１入力画像ＰＡｎ〜第４入力画像ＰＤｎが含まれる。
よって、プロジェクター２００Ａ〜プロジェクター２００Ｄの各々は、第１入力画像ＰＡｎ〜第４入力画像ＰＤｎのうちのいずれかを含む画像を表示できる。したがって、プロジェクター２００Ａ〜プロジェクター２００Ｄの各々は、映像分配器を用いることなく、第１入力画像ＰＡｎ〜第４入力画像ＰＤｎのうち少なくとも１つを含む画像を表示できる。
【００９８】
また、本実施形態では、プロジェクター２００Ａからプロジェクター２００Ｄまでの４個のプロジェクター２００が順に、第２入力部２８２Ａ〜第２入力部２８２Ｄ及び出力部２８４〜出力部２８４Ｄを介して、デイジーチェーン接続される。また、プロジェクター２００Ａの第２入力部２８２Ａにプロジェクター２００Ｄの出力部２８４Ｄが接続される。
なお、本実施形態では、プロジェクター２００Ｄは、「第ｋ表示装置」の一例に対応する。「ｋ」は、「４」である。
よって、第４合成画像ＳＰ４ｎを、プロジェクター２００Ａ〜プロジェクター２００Ｄの各々に供給できる。したがって、プロジェクター２００Ａ〜プロジェクター２００Ｄの各々は、映像分配器を用いることなく、第１入力画像ＰＡｎ〜第４入力画像ＰＤｎのうち少なくとも１つを含む画像を表示できる。
【００９９】
また、本実施形態では、「表示装置」の各々は、投射画像を投射するプロジェクターである。
したがって、例えば、プロジェクター２００Ａ〜プロジェクター２００Ｄの各々の画像を１つの領域に重ねて表示することによって、輝度の高い１つの画像を表示できる。
【０１００】
また、本実施形態では、表示システム１は、プロジェクター２００Ａ〜プロジェクター２００Ｄの各々が表示する第１投射画像ＰＪ１ｎ〜第４投射画像ＰＪ４ｎによって１つの画像を形成するマルチ投射システムである。
したがって、例えば、第１投射画像ＰＪ１ｎ〜第４投射画像ＰＪ４ｎの各々を横方向に配列することによって１つの画像を形成できる。
【０１０１】
また、本実施形態では、プロジェクター２００Ａ〜プロジェクター２００Ｄのうちのプロジェクター２００Ｂ〜プロジェクター２００Ｄの各々は、第１入力部２８１と、第２入力部２８２と、画像処理部２８３と、出力部２８４と、表示制御部２８５とを備える。
プロジェクター２００Ｂ〜プロジェクター２００Ｄのうち、例えば、プロジェクター２００Ｂについて説明する。すなわち、プロジェクター２００Ｂは、第１入力部２８１Ｂと、第２入力部２８２Ｂと、画像処理部２８３Ｂと、出力部２８４Ｂと、表示制御部２８５Ｂとを備える。
表示システム１における表示方法は、画像処理ステップと、出力ステップと、表示ステップとを含む。
第１入力部２８１Ｂには、第２入力画像ＰＢｎが入力される。第２入力部２８２Ｂには、プロジェクター２００Ａから第１合成画像ＳＰ１ｎが入力される。画像処理部２８３Ｂは、第２入力画像ＰＢｎと第１合成画像ＳＰ１ｎとに基づき、第２合成画像ＳＰ２ｎを生成する「画像処理ステップ」を実行する。出力部２８４Ｂは、第２合成画像ＳＰ２ｎをプロジェクター２００Ｃが備える第２入力部２８２Ｃに対して出力する「出力ステップ」を実行する。表示制御部２８５Ｂは、第２合成画像ＳＰ２ｎのうち、設定された条件を満たす画像を投射部２１０Ｂにより表示させる「表示ステップ」を実行する。
第２合成画像ＳＰ２ｎには、第１入力画像ＰＡｎと、第２入力画像ＰＢｎとが含まれるため、表示制御部２８５Ｂは、例えば、第１入力画像ＰＡｎ及び第２入力画像ＰＢｎのうち少なくとも一方を含む画像を表示できる。
したがって、映像分配器を用いることなく、第１入力画像ＰＡｎ及び第２入力画像ＰＢｎのうち少なくとも一方を含む画像を表示できる。
【０１０２】
また、本実施形態では、プロジェクター２００Ａ〜プロジェクター２００Ｄのうちのプロジェクター２００Ｂ〜プロジェクター２００Ｄの各々は、第１入力部２８１と、第２入力部２８２と、画像処理部２８３と、出力部２８４と、表示制御部２８５とを備える。
プロジェクター２００Ｂ〜プロジェクター２００Ｄのうち、例えば、プロジェクター２００Ｂについて説明する。すなわち、プロジェクター２００Ｂは、第１入力部２８１Ｂと、第２入力部２８２Ｂと、画像処理部２８３Ｂと、出力部２８４Ｂと、表示制御部２８５Ｂとを備える。プロジェクター２００Ｂ〜プロジェクター２００Ｄの各々は、「表示装置」の一例に対応する。
第１入力部２８１Ｂには、第２入力画像ＰＢｎが入力される。第２入力部２８２Ｂには、プロジェクター２００Ａから第１合成画像ＳＰ１ｎが入力される。画像処理部２８３Ｂは、第２入力画像ＰＢｎと第１合成画像ＳＰ１ｎとに基づき、第２合成画像ＳＰ２ｎを生成する。出力部２８４Ｂは、第２合成画像ＳＰ２ｎをプロジェクター２００Ｃが備える第２入力部２８２Ｃに対して出力する。表示制御部２８５Ｂは、第２合成画像ＳＰ２ｎのうち、設定された条件を満たす画像を投射部２１０Ｂにより表示させる。
第２合成画像ＳＰ２ｎには、第１入力画像ＰＡｎと、第２入力画像ＰＢｎとが含まれるため、表示制御部２８５Ｂは、例えば、第１入力画像ＰＡｎ及び第２入力画像ＰＢｎのうち少なくとも一方を含む画像を表示できる。
したがって、映像分配器を用いることなく、第１入力画像ＰＡｎ及び第２入力画像ＰＢｎのうち少なくとも一方を含む画像を表示できる。
【０１０３】
［７．他の実施形態］
なお、上述した本実施形態は実施形態の一例に過ぎず、実施形態を限定するものではなく、異なる態様とすることも可能である。
本実施形態では、例えば、プロジェクター２００を表示装置の一例として示したが、表示装置は、液晶表示パネルに画像を表示する液晶モニター、液晶テレビ等であってもよい。また、プラズマディスプレイパネル、ＯＬＥＤ（Ｏｒｇａｎｉｃ  Ｌｉｇｈｔ−Ｅｍｉｔｔｉｎｇ  Ｄｉｏｄｅ）、ＯＥＬ（Ｏｒｇａｎｉｃ  Ｅｌｅｃｔｒｏ  Ｌｕｍｉｎｅｓｃｅｎｃｅ）ディスプレイ等の有機ＥＬ表示パネルを備えた装置であってもよい。
【０１０４】
また、本実施形態では、光変調装置２１２Ａが液晶パネル２１５Ａを備える構成を例示したが、液晶パネル２１５Ａは、透過型の液晶パネルであってもよいし、反射型の液晶パネルであってもよい。また、光変調装置２１２Ａは、液晶パネル２１５Ａに代えて、デジタルミラーデバイス（ＤＭＤ）を用いた構成であってもよい。また、デジタルミラーデバイスとカラーホイールを組み合わせた構成としてもよい。また、光変調装置２１２Ａは、液晶パネル及びＤＭＤ以外に、光源が発した光を変調可能な構成を採用しても良い。
【０１０５】
また、本実施形態では、表示システム１は、４個のプロジェクター２００がデイジーチェーン接続されて構成されるが、これに限定されない。表示システム１は、Ｎ個（Ｎは、２以上の自然数）がデイジーチェーン接続されて構成されればよい。例えば、表示システム１は、２個又は３個のプロジェクター２００がデイジーチェーン接続されて構成されてもよいし、５個以上のプロジェクター２００がデイジーチェーン接続されて構成されてもよい。
【０１０６】
また、本実施形態では、画像処理部２８３Ａが、第１入力画像ＰＡｎを背景画像ＰＧと合成して第１合成画像ＳＰ１ｎを生成するが、これに限定されない。画像処理部２８３Ａが、第１入力画像ＰＡｎを含む画像を生成すればよい。例えば、画像処理部２８３Ａが、第１合成画像ＳＰ１ｎとして第１入力画像ＰＡｎを生成してもよい。
【０１０７】
また、本実施形態では、画像処理部２８３Ｂが、第２入力画像ＰＢｎを第１合成画像ＳＰ１ｎと合成して、第２合成画像ＳＰ２ｎを生成するが、これに限定されない。画像処理部２８３Ｂが、第１入力画像ＰＡｎ及び第２入力画像ＰＢｎを含む画像を生成すればよい。例えば、画像処理部２８３Ｂが、第２合成画像ＳＰ２ｎとして第１入力画像ＰＡｎと第２入力画像ＰＢｎとを合成した画像を生成してもよい。
【０１０８】
また、本実施形態では、画像処理部２８３Ｃが、第３入力画像ＰＣｎを第２合成画像ＳＰ２ｎと合成して、第３合成画像ＳＰ３ｎを生成するが、これに限定されない。画像処理部２８３Ｃが、第１入力画像ＰＡｎ、第２入力画像ＰＢｎ及び第３入力画像ＰＣｎを含む画像を生成すればよい。例えば、画像処理部２８３Ｃが、第３合成画像ＳＰ３ｎとして第１入力画像ＰＡｎと第２入力画像ＰＢｎと第３入力画像ＰＣｎとを合成した画像を生成してもよい。
【０１０９】
また、本実施形態では、画像処理部２８３Ｄが、第４入力画像ＰＤｎを第３合成画像ＳＰ３ｎと合成して、第４合成画像ＳＰ４ｎを生成するが、これに限定されない。画像処理部２８３Ｄが、第１入力画像ＰＡｎ、第２入力画像ＰＢｎ、第３入力画像ＰＣｎ及び第４入力画像ＰＤｎを含む画像を生成すればよい。例えば、画像処理部２８３Ｄが、第４合成画像ＳＰ４ｎとして第１入力画像ＰＡｎと第２入力画像ＰＢｎと第３入力画像ＰＣｎと第４入力画像ＰＤｎとを合成した画像を生成してもよい。
【０１１０】
また、図３に示したプロジェクター２００Ａの各機能部、及び図４に示した制御部２８０Ａの各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクターの他の各部の具体的な細部構成についても、本発明の趣旨を逸脱しない範囲で任意に変更可能である。
【０１１１】
また、図６及び図７に示すシーケンス図の処理単位は、プロジェクター２００又は表示システム１の処理を理解容易にするために、主な処理内容に応じて分割したものである。図６及び図７のシーケンス図に示す処理単位の分割の仕方や名称によって実施形態が制限されることはない。また、制御部２８０の処理は、処理内容に応じて、さらに多くの処理単位に分割することもできるし、１つの処理単位がさらに多くの処理を含むように分割することもできる。また、上記のシーケンス図の処理順序も、図示した例に限られるものではない。
【０１１２】
また、表示システム１の制御方法は、表示システム１の各表示装置が備えるコンピューターに、表示システム１の制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ、Ｂｌｕ−ｒａｙ（登録商標）Ｄｉｓｃ、光磁気ディスク、フラッシュメモリー、カード型記録媒体等の可搬型、或いは固定式の記録媒体が挙げられる。また、記録媒体は、画像表示装置が備える内部記憶装置であるＲＡＭ、ＲＯＭ、ＨＤＤ等の不揮発性記憶装置であってもよい。また、表示システム１の制御方法に対応したプログラムをサーバー装置等に記憶させておき、サーバー装置から表示システム１の各表示装置に、プログラムをダウンロードすることで表示システム１の制御方法を実現することもできる。
【符号の説明】
【０１１３】
１…表示システム、１０Ａ〜１０Ｄ…投射領域、２１Ａ〜２１Ｄ…ＨＤＭＩケーブル、２２〜２５…ＨＤＭＩケーブル、１００、１００Ａ〜１００Ｄ…画像供給装置、１１０Ａ…制御部、１２０Ａ…再生部、１３０Ａ…記録媒体、１４０Ａ…ＨＤＭＩ通信部、２００、２００Ａ〜２００Ｄ…プロジェクター（表示装置）、２１０、２０１Ａ〜２１０Ｄ…投射部（表示部）、２５０、２５０Ａ〜２５０Ｄ…ＨＤＭＩ通信部、２５２、２５２Ａ〜２５２Ｄ…第２受信部、２５４、２５４Ａ〜２５４Ｄ…第１受信部、２５６、２５６Ａ〜２５６Ｄ…送信部、２６０Ａ…画像処理部、２６５Ａ…フレームメモリー、２７０Ａ…記憶部、２８０、２８０Ａ〜２８０Ｄ…制御部、２８１、２８１Ａ〜２８１Ｄ…第１入力部、２８２、２８２Ａ〜２８２Ｄ…第２入力部、２８３、２８３Ａ〜２８３Ｄ…画像処理部、２８４、２８４Ａ〜２８４Ｄ…出力部、２８５、２８５Ａ〜２８５Ｄ…表示制御部、２９０Ａ…内部バス、ＦＬ…フラグ、ＰＡｎ…第１入力画像（第１画像）、ＰＢｎ…第２入力画像（第１画像）、ＰＣｎ…第３入力画像（第１画像）、ＰＤｎ…第４入力画像（第１画像）、ＰＧ…背景画像、ＰＪ１ｎ…第１投射画像、ＰＪ２ｎ…第２投射画像、ＰＪ３ｎ…第３投射画像、ＰＪ４ｎ…第４投射画像、Ｐ１〜Ｐ４…位置、ＳＣ…スクリーン、ＳＰ１ｎ…第１合成画像（第２画像、出力画像）、ＳＰ２ｎ…第２合成画像（第２画像、出力画像）、ＳＰ３ｎ…第３合成画像（第２画像、出力画像）、ＳＰ４ｎ…第４合成画像（第２画像、出力画像）。
【図１】
2020101655.tif 000003
【図２】
2020101655.tif 000004
【図３】
2020101655.tif 000005
【図４】
2020101655.tif 000006
【図５】
2020101655.tif 000007
【図６】
2020101655.tif 000008
【図７】
2020101655.tif 000009
【図８】
2020101655.tif 000010